(57)【要約】【課題】意匠部材をドア本体に容易に固定することができるとともに、火災時に発生した可燃性のガスが固定部材が挿入された孔部を介してドア本体の一方側から他方側に漏れることを防止できる固定部材を提供する。【解決手段】ドア本体の表面に設けられる意匠部材を固定するための固定部材１において、ドア本体に形成された孔部に係合可能な金属製のドア本体固定部４と、ドア本体固定部４と連結され意匠部材と係合可能な樹脂製の意匠部材固定部５と、を有し、ドア本体固定部４は、孔部を閉塞可能な閉塞部４２を有する。【選択図】図６
2018053514.tif 000002
【特許請求の範囲】
【請求項１】
ドア本体の表面に設けられる意匠部材を固定するための固定部材において、
前記ドア本体に形成された孔部に係合可能な金属製のドア本体固定部と、
前記ドア本体固定部と連結され前記意匠部材と係合可能な樹脂製の意匠部材固定部と、を有し、
前記ドア本体固定部は、前記孔部を閉塞可能な閉塞部を有することを特徴とする固定部材。
【請求項２】
前記ドア本体固定部に設けられたドア本体側連結部と、前記意匠部材固定部に設けられた意匠部材側連結部と、を有し、
前記ドア本体側連結部と、前記意匠部材側連結部とが互いに係合可能に構成されている請求項１に記載の固定部材。
【請求項３】
前記ドア本体固定部と、前記意匠部材固定部とを正位置に配置する位置決め部を有する請求項１または２に記載の固定部材。
【請求項４】
前記ドア本体固定部は、前記孔部に挿入されて前記孔部の縁を押圧して前記ドア本体と係合可能な複数の爪部を有し、
前記複数の爪部は、前記孔部に挿入される方向の長さ寸法が異なる請求項１乃至３のいずれか一項に記載の固定部材。
【請求項５】
前記意匠部材固定部は、前記意匠部材が取り付けられる取り付け方向に直交する取り付け直交方向の両側それぞれに形成された弾性変形可能な一対の意匠部材係止片を有し、
前記一対の意匠部材係止片は、それぞれの前記取り付け方向の中間部に形成され、前記取り付け直交方向の外側に突出する角部と、
前記角部の前記取り付け方向の両側にそれぞれ形成され、前記角部から前記取り付け方向の両側に向かって漸次前記取り付け直交方向の内側に向かって延びる傾斜面と、を有し、
前記意匠部材は、一対の意匠部材係止片の前記取り付け直交方向の外側に配置される一対の側部材と、
前記一対の側部材それぞれから前記取り付け直交方向の内側に突出し前記傾斜面と当接して前記一対の意匠部材係止片を両側から挟持する一対の爪部と、を有し、
前記一対の意匠部材係止片にそれぞれ形成された前記角部は、前記取り付け方向の位置が互いに異なる請求項１乃至４のいずれか一項に記載の固定部材。
【請求項６】
前記ドア本体固定部には、前記ドア本体の芯材に突き刺し可能な先鋭部を有している請求項１乃至５のいずれか一項に記載の固定部材。
【請求項７】
前記ドア本体固定部および前記意匠部材固定部の少なくとも一方には、前記ドア本体の表面に設けられた板部を押圧する押圧部が設けられている請求項１乃至６のいずれか一項に記載の固定部材。
【発明の詳細な説明】
【技術分野】
【０００１】
本発明は、ドア本体の表面に意匠部材を固定するための固定部材に関する。
【背景技術】
【０００２】
従来、ドア本体の表面に意匠部材が設けられたドアが知られている。このようなドアの意匠部材は、ドア本体に固定された固定部材に取り付けられるように構成されている（例えば、特許文献１参照）。
特許文献１に開示された固定部材は、意匠部材が嵌合される樹脂製の固定ピースと、固定ピースをドア本体に固定するリベットやネジなどの金属製の固定具と、を有している。
固定具は、ドア本体に形成された孔部に挿入されることで固定ピースをドア本体に固定している。
このような固定部材は、金属製の固定具が孔部に挿入されていることにより、火災が生じて樹脂製の固定ピースが溶融したとしても金属製の固定具がドア本体の孔部に留まるため、火災時に発生した可燃性のガスが孔部を介してドア本体の一方側から他方側に漏れることを防止することができる。
【先行技術文献】
【特許文献】
【０００３】
【特許文献１】特開２０１５−８６６５２号公報
【発明の概要】
【発明が解決しようとする課題】
【０００４】
しかしながら、特許文献１に開示された固定部材では、複数の固定具で１つの固定ピースをドア本体に固定するため、ドア本体に対して多数の固定部材を取り付ける際に、固定ピースをドア本体に固定する作業に手間がかかり生産性が悪いという問題がある。
また、固定部材には、火災時に発生した可燃性のガスが固定部材が挿入された孔部を介してドア本体の一方側から他方側に漏れることを防止できることが望まれている。
【０００５】
そこで、本発明は、意匠部材をドア本体に容易に固定することができるとともに、火災時に発生した可燃性のガスが固定部材が挿入された孔部を介してドア本体の一方側から他方側に漏れることを防止できる固定部材を提供することを目的とする。
【課題を解決するための手段】
【０００６】
上記目的を達成するため、本発明に係る固定部材は、ドア本体の表面に設けられる意匠部材を固定するための固定部材において、前記ドア本体に形成された孔部に係合可能な金属製のドア本体固定部と、前記ドア本体固定部と連結され前記意匠部材と係合可能な樹脂製の意匠部材固定部と、を有し、前記ドア本体固定部は、前記孔部を閉塞可能な閉塞部を有することを特徴とする。
【０００７】
本発明では、固定部材のドア本体固定部と意匠部材固定部とが連結されているとともに、ドア本体固定部がドア本体に形成された孔部に係合可能である。これにより、ドア本体固定部を孔部に挿入して係合させれば意匠部材固定部もドア本体固定部を介してドア本体に固定されるため、ドア本体に対して固定部材を容易に固定することができる。
また、意匠部材固定部が樹脂製であることにより、意匠部材固定部が金属製である場合と比べて意匠部材の形状に追従しやすく意匠部材と係合しやすいため、意匠部材を固定部材に容易に取り付けることができる。
また、ドア本体固定部が金属製であることにより、火災時に意匠部材固定部が溶融したとしてもドア本体固定部はドア本体の孔部に留まり、さらにドア本体固定部の閉塞部がドア本体の孔部を閉塞しているため、火災時に発生した可燃性のガスが孔部を介してドア本体の一方側から他方側に漏れることを防止できる。
【０００８】
また、本発明に係る固定部材では、前記ドア本体固定部に設けられたドア本体側連結部と、前記意匠部材固定部に設けられた意匠部材側連結部と、を有し、前記ドア本体側連結部と、前記意匠部材側連結部とが互いに係合可能に構成されていてもよい。
このような構成とすることにより、ドア本体固定部と意匠部材固定部とを、確実に連結することができる。
【０００９】
また、本発明に係る固定部材では、前記ドア本体固定部と、前記意匠部材固定部とを正位置に配置する位置決め部を有していてもよい。
このような構成とすることにより、ドア本体固定部と意匠部材固定部とを正位置において連結することができる。これにより、ドア本体固定部と意匠部材固定部との連結にバラツキがなく、固定部材の品質を安定させることができる。
【００１０】
また、本発明に係る固定部材では、前記ドア本体固定部は、前記孔部に挿入されて前記孔部の縁を押圧して前記ドア本体と係合可能な複数の爪部を有し、前記複数の爪部は、前記孔部に挿入される方向の長さ寸法が異なる構成としてもよい。
このような構成とすることにより、ドア本体の表面部分に設けられ孔部が形成された板材などの部材の厚さが異なる場合でも、少なくとも長い爪部が孔部の縁を押圧してドア本体と係合可能なため、ドア本体に対して固定部材をぐらついたりせずに安定した状態に設置することができる。その結果、意匠部材をドア本体に安定した状態に設置することができる。
【００１１】
また、本発明に係る固定部材では、前記意匠部材固定部は、前記意匠部材が取り付けられる取り付け方向に直交する取り付け直交方向の両側それぞれに形成された弾性変形可能な一対の意匠部材係止片を有し、前記一対の意匠部材係止片は、それぞれの前記取り付け方向の中間部に形成され、前記取り付け直交方向の外側に突出する角部と、前記角部の前記取り付け方向の両側にそれぞれ形成され、前記角部から前記取り付け方向の両側に向かって漸次前記取り付け直交方向の内側に向かって延びる傾斜面と、を有し、前記意匠部材は、一対の意匠部材係止片の前記取り付け直交方向の外側に配置される一対の側部材と、前記一対の側部材それぞれから前記取り付け直交方向の内側に突出し前記傾斜面と当接して前記一対の意匠部材係止片を両側から挟持する一対の爪部と、を有し、前記一対の意匠部材係止片にそれぞれ形成された前記角部は、前記取り付け方向の位置が互いに異なっていてもよい。
このような構成とすることにより、意匠部材の側部材や爪部の位置や形状が異なる場合でも、意匠部材の一対の爪部が、意匠部材係止片を弾性変形させて意匠部材係止片の傾斜面のいずれかの部分に当接するため、一対の意匠部材係止片を両側から挟持することができる。これにより、意匠部材を固定部材に確実に取り付けることができる。
【００１２】
また、本発明に係る固定部材では、前記ドア本体固定部には、前記ドア本体の芯材に突き刺し可能な先鋭部を有していてもよい。
このような構成とすることにより、ドア本体固定部をドア本体の例えば発泡スチロールなどで形成された芯材に容易に挿入することができる。
【００１３】
また、本発明に係る固定部材では、前記ドア本体固定部および前記意匠部材固定部の少なくとも一方には、前記ドア本体の表面に設けられた板部を押圧する押圧部が設けられていてもよい。
このような構成とすることにより、ドア本体の表面に設けられた板部の厚さが異なる場合でも、押圧部がドア本体の表面に設けられた板部と当接するため、ドア本体に対して固定部材をぐらついたりせずに安定した状態に設置することができる。その結果、意匠部材をドア本体に安定した状態に設置することができる。
【発明の効果】
【００１４】
本発明によれば、意匠部材をドア本体に容易に固定することができるとともに、火災時に発生した可燃性のガスが固定部材が挿入された孔部を介してドア本体の一方側から他方側に漏れることを防止できる。
【図面の簡単な説明】
【００１５】
【図１】本発明の実施形態による固定部材が設けられたドアの一例を室外側から見た図である。
【図２】図１のＡ−Ａ線断面図である。
【図３】図２のＢ部分の拡大図である。
【図４】図２のＣ部分の拡大図である。
【図５】固定部材を奥行き方向から見た図である。
【図６】固定部材を幅方向から見た図である。
【図７】固定部材を厚さ方向の他方側から見た図である。
【図８】図７のＤ−Ｄ線断面図である。
【図９】図７のＥ−Ｅ線断面図である。
【図１０】本実施形態による固定部材の変形例を示す図である。
【図１１】本実施形態による固定部材の他の変形例を示す図である。
【発明を実施するための形態】
【００１６】
以下、本発明の実施形態による固定部材について、図１乃至図９に基づいて説明する。
図１に示すように、本実施形態による固定部材１は、例えば、壁部に形成された開口部に設けられる玄関ドアなどのドア１１のドア本体２とドア本体２の室外側の面に沿って設けられた意匠部材３とを固定するために設けられている。
【００１７】
ドア本体２は、板面が長方形となるパネル状に形成されている。以下ではドア本体２の板面に沿った水平方向を見付け方向とし、見付け方向に直交する水平方向（ドア１１の厚さ方向）を見込み方向とする。
ドア本体２は、見込み方向の一方側に設けられる室外板部２１と、室外板部２１と見付け方向に間隔をあけ見付け方向の他方側に設けられる室内板部２２と、室外板部２１と室内板部２２の外縁部どうしを連結する側板部２３と、室外板部２１と室内板部２２との間に配置される断熱材（芯材）２４と、を有している。ドア１１が壁部に形成された開口部を閉塞するように設けられると、室外板部２１が室外側に配置され、室内板部２２が室内側に配置される。
【００１８】
室外板部２１、室内板部２２および側板部２３は、例えば、鋼板などで形成されている。断熱材２４は、発泡スチロールなどの樹脂で形成されている。なお、室外板部２１と室内板部２２との間には、断熱材２４に代わってハニカム状のペーパーコアなどが配置されていてもよい。
本実施形態では、ドア本体２に見付け方向の略中央部に見込み方向に貫通し上下方向に長い開口部２５が形成され、この開口部２５には、ガラス２６が嵌め込まれている。
室外板部２１には、室外側から固定部材１が挿入される孔部２７が複数形成されている。孔部２７に挿入された固定部材１は、断熱材２４に挿し込まれるように構成されている。孔部２７は、見込み方向から見て、略長方形状に形成されている。
【００１９】
意匠部材３は、アルミの押出し成形などによって長尺の部材に形成されて、上下方向に延在する向きでドア本体２に固定されている。意匠部材３は、１つのドア本体２に対して見込み方向に複数配列されている。
複数の意匠部材３，３…は、ドア本体２の開口部２５と干渉しない位置に配置される複数の第１意匠部材３１，３１…と、ドア本体２の開口部２５に隣接して配置される２つの第２意匠部材３２，３２と、から構成されている。
以下の説明では、第１意匠部材３１，３１…および第２意匠部材３２，３２は、ドア本体２に取り付けられた姿勢であるものとしている。
【００２０】
図３に示すように、第１意匠部材３１は、ドア本体２の室外板部２１の室外側に間隔をあけて配置される本体部３３と、本体部３３の見付け方向の両端部３３ａ，３３ａからそれぞれ室内側に突出する一対の突出部３４，３４と、本体部３３の見付け方向の中間部からそれぞれ室内側に突出する２つの第１固定部材嵌合部３５，３５と、を有している。
【００２１】
本体部３３は、板面が略見込み方向を向く薄板状に形成されている。本体部３３は、見付け方向の両端部３３ａ，３３ａよりも見付け方向の中間部３３ｂがやや室内側に凹むように湾曲している。
【００２２】
一対の突出部３４，３４は、見付け方向に対称に形成されている。ここでは見付け方向一方側（図３の左側）の突出部３４について説明し、見付け方向他方側の突出部３４については説明を省略する。
突出部３４は、本体部３３と連続した薄板状に形成されている。突出部３４は、本体部３３の見付け方向の一方側の端部３３ａから室内側に向かって漸次見付け方向の一方側に斜めに延びる第１斜め部３４１と、第１斜め部３４１の室内側の端部から室内側に向かって漸次見付け方向の一方側に斜めに延びる第２斜め部３４２と、第２斜め部３４２の室内側の端部近傍から見付け方向の他方側に延びる見付け板部３４３と、を有している。
【００２３】
第１斜め部３４１は、第２斜め部３４２よりも見込み方向に対して大きく傾斜している。このため、第１斜め部３４１と第２斜め部３４２との接続部分３４４は、見付け方向の一方側に突出するように屈曲している。
第２斜め部３４２は、室内側の端部３４２ａがドア本体２の室外板部２１と当接するように構成されている。
見付け板部３４３は、ドア本体２の室外板部２１とわずかな隙間をあけて対向している。
【００２４】
２つの第１固定部材嵌合部３５，３５は、見付け方向に間隔をあけて配置され、見付け方向に対称に形成されている。ここでは見付け方向一方側（図３の右側）の第１固定部材嵌合部３５について説明し、見付け方向他方側の第１固定部材嵌合部３５については説明を省略する。
第１固定部材嵌合部３５は、本体部３３から室内側に突出する第１突出板部３５１と、第１突出板部３５１の見付け方向他方側に間隔をあけて配置され本体部３３から室内側に突出する第２突出板部３５２と、第１突出板部３５１の室内側の端部近傍から見付け方向他方側に突出する第１爪部３５３と、第２突出板部３５２の室内側の端部近傍から見付け方向一方側に突出する第２爪部３５４と、第１突出板部３５１の室内側の端部近傍から見付け方向一方側に延びる第１見付け板部３５５と、第２突出板部３５２の室内側の端部近傍から見付け方向他方側に延びる第２見付け板部３５６と、を有している。
【００２５】
第１突出板部３５１は、室内側の端部３５１ａが室外板部２１と当接するように構成されている。第２突出板部３５２は、室内側の端部３５２ａが室外板部２１と当接するように構成されている。第１突出板部３５１と第２突出板部３５２との間には固定部材１の意匠部材固定部５が配置される。
第１爪部３５３および第２爪部３５４は、それぞれ室外板部２１と隙間をあけるように配置されている。第１爪部３５３と第２爪部３５４とは、互いに近接するように第１突出板部３５１および第２突出板部３５２から突出している。
第１見付け板部３５５および第２見付け板部３５６は、それぞれドア本体２の室外板部２１とわずかな隙間をあけて対向している。
【００２６】
図４に示すように、第２意匠部材３２は、ドア本体２の室外板部２１の室外側に間隔をあけて配置される本体部３６と、本体部３６の見付け方向の一方側の端部３６ａから室内側に突出する突出部３７と、本体部３６の見付け方向の他方側の端部３６ｂ近傍から室内側に突出するガラス保持部３８と、本体部３３の見付け方向の中間部から室内側に突出する第２固定部材嵌合部３９と、を有している。
以下に説明する第２意匠部材３２は、ドア本体２の開口部２５の見付け方向一方側に配置されているものとする。ドア本体２の開口部２５の見付け方向他方側に配置された第２意匠部材３２は、以下に説明する第２意匠部材３２と見付け方向に対称に形成されたものとする。
【００２７】
本体部３６は、板面が略見込み方向を向く薄板状に形成されている。本体部３６は、見付け方向の両端部３６ａ，３６ｂよりも見付け方向の中間部３６ｃがやや室内側に凹むように湾曲している。
【００２８】
突出部３７は、本体部３６と連続した薄板状に形成されている。突出部３７は、本体部３６の見付け方向の一方側の端部３６ａから室内側に向かって漸次見付け方向の一方側に斜めに延びる第１斜め部３７１と、第１斜め部３７１の室内側の端部から室内側に向かって漸次見付け方向の一方側に斜めに延びる第２斜め部３７２と、第２斜め部３７２の室内側の端部近傍から見付け方向の他方側に延びる見付け板部３７３と、を有している。
【００２９】
第１斜め部３７１は、第２斜め部３７２よりも見込み方向に対して大きく傾斜している。このため、第１斜め部３７１と第２斜め部３７２との接続部分３７４は、見付け方向の一方側に突出するように屈曲している。
第２斜め部３７２は、室内側の端部３７２ａがドア本体２の室外板部２１と当接するように構成されている。
見付け板部３７３は、ドア本体２の室外板部２１とわずかな隙間をあけて対向している。
【００３０】
ガラス保持部３８は、本体部３６の見付け方向他方側の端部３６ｂから室内側に向かって延びてガラス２６の室外側の面と当接するガラス当接部３８１と、ガラス当接部３８１よりもやや見付け方向一方側に向かった位置から室内側に向かって延び、室内側からガラス２６（図２参照）を保持する室内側ガラス保持部材２６１（図２参照）と連結される室内側ガラス保持部材連結部３８２と、室内側ガラス保持部材連結部３８２よりもやや見付け方向一方側に向かった位置から室外側に延びドア本体２の開口部２５の縁部近傍と当接するドア本体当接部３８３と、を有している。
【００３１】
第２固定部材嵌合部３９は、第１意匠部材３１の第１固定部材嵌合部３５とほとんど同じ形状に形成されていて、第１固定部材嵌合部３５の第１見付け板部３５５が無い形状に形成されている。このため、第２固定部材嵌合部３９を構成する部材は、第１固定部材嵌合部３５と同じ符号で示し、説明を省略する。
【００３２】
図３および図４に示すように、固定部材１は、ドア本体２に形成された孔部２７に嵌合するドア本体固定部４と、ドア本体固定部４と連結され第１意匠部材３１の第１固定部材嵌合部３５または第２意匠部材３２の第２固定部材嵌合部３９が嵌合する意匠部材固定部５と、を有している。
以下の固定部材１の説明では、ドア本体固定部４と意匠部材固定部５とを結ぶ方向を厚さ方向とし、厚さ方向に直交する一方向を幅方向とし、厚さ方向および幅方向に直交する方向と奥行き方向とする。
厚さ方向のうち、意匠部材固定部５に対してドア本体固定部４が設けられている側を厚さ方向の一方側とし、ドア本体固定部４に対して意匠部材固定部５が設けられている側を厚さ方向の他方側とする。
固定部材１は、幅方向がドア本体２の見付け方向となり、厚さ方向がドア本体２の見込み方向となり、奥行き方向がドア本体２の上下方向となる向きでドア本体２に固定される。
【００３３】
ドア本体固定部４は、金属で形成され、弾性変形可能に構成されている。本実施形態では、ドア本体固定部４は、金属板を加工して製作されている。
図５から図７に示すように、ドア本体固定部４は、ドア本体２に孔部２７（図１参照）から挿し込まれる挿入部４１と、孔部２７を室外側から覆う閉塞部４２と、意匠部材固定部５と連結されるドア本体側連結部４３と、を有している。
【００３４】
閉塞部４２は、板面が略長方形の板状で、ドア本体２に形成された孔部２７を室外側から閉塞可能な大きさに形成されている。閉塞部４２は、板面が厚さ方向を向くように配置され、奥行き方向の両縁部にそれぞれ挿入部４１が接続され、幅方向の両縁部にそれぞれドア本体側連結部４３が接続されている。閉塞部４２の奥行き方向の両縁部はそれぞれ幅方向に直線状に延び、閉塞部４２の幅方向の両縁部はそれぞれ奥行き方向に直線状に延びている。
【００３５】
挿入部４１は、閉塞部４２の奥行き方向の両縁部からそれぞれ厚さ方向の一方側に延びる一対の第１挿入板部４１１，４１１と、一対の第１挿入板部４１１，４１１の厚さ方向の一方側の端部それぞれから厚さ方向の一方側に向かって互いに近接する斜め方向に延びる一対の第２挿入板部４１２，４１２と、一対の第２挿入板部４１２，４１２の厚さ方向の一方側の端部それぞれから厚さ方向の一方側に向かって延びる一対の第３挿入板部４１３，４１３と、を有している。
【００３６】
一対の第１挿入板部４１１，４１１は、奥行き方向に間隔をあけて対向している。
一対の第３挿入板部４１３，４１３は、奥行き方向に対向し、当接またはわずかな隙間をあけて近接している。挿入部４１のうち一対の第２挿入板部４１２，４１２および第３挿入板部４１３，４１３が構成する部分は、厚さ方向の一方側に尖った形状に形成されている。この挿入部４１における一対の第２挿入板部４１２，４１２および第３挿入板部４１３，４１３が構成する部分を先鋭部４１４とする。
【００３７】
第１挿入板部４１１，４１１には、それぞれ奥行き方向の外側（一対の第１挿入板部４１１，４１１が離間する側）に突出する２つの爪部４１１ａ，４１１ｂが幅方向に間隔をあけて形成されている。
２つの爪部４１１ａ，４１１ｂは、それぞれ第１挿入板部４１１に、厚さ方向の一方側に開口する略Ｕ字形状の切り込みを形成し、切り込みの内側の部分を厚さ方向の一方側から他方側に向かって漸次奥行き方向の一方側に突出するように折り曲げることで形成されている。爪部４１１ａ，４１１ｂは、厚さ方向の一方側の端部４１１ｃが、第１挿入板部４１１の爪部４１１ａ，４１１ｂ以外の部分と連続している。
図８および図９に示すように、２つの爪部４１１ａ，４１１ｂのうち、幅方向の一方側に配置された爪部４１１ａは、幅方向の他方側に配置された爪部４１１ｂよりも厚さ方向の長さが長く、先端部（厚さ方向他方側の端部）が厚さ方向他方側（閉塞部４２に近接する側）に突出している。
【００３８】
爪部４１１ａ，４１１ｂは、それぞれ一方側の端部４１１ｃを軸として回動し奥行き方向に弾性変形可能に構成されている。爪部４１１ａ，４１１ｂは、奥行き方向の内側（一対の第１挿入板部４１１，４１１が対向する側）に向かうように弾性変形すると、第１挿入板部４１１の爪部４１１ａ，４１１ｂ以外の部分と略面一となるように構成されている。
【００３９】
ドア本体側連結部４３は、閉塞部４２の幅方向の両縁部からそれぞれ厚さ方向の一方側に延びる一対の連結板部４３１，４３１を有している。一対の連結板部４３１は幅方向に対向して配置されている。
一対の連結板部４３１，４３１は、それぞれ閉塞部４２の幅方向の一方側の縁部から幅方向の一方側に延びる接続板部４３２と、接続板部４３２の先端部（厚さ方向他方側の端部）近傍から奥行き方向の両側にそれぞれ伸びる係合板部４３３，４３３と、を有している。
接続板部４３２と一対の係合板部４３３，４３３とは、板面が面一となるように形成されている。連結板部４３１の板面（接続板部４３２と一対の係合板部４３３，４３３とを合せた板面）は、略Ｔ字形に形成されている。一対の係合板部４３３，４３３は、閉塞部４２と厚さ方向に離間している。
【００４０】
図５から図７に示すように、意匠部材固定部５は、例えば、ポリアセタールなどの樹脂で形成され、弾性変形可能に構成されている。意匠部材固定部５は、ドア本体固定部４のドア本体側連結部４３と連結される意匠部材側連結部５１と、第１意匠部材３１の第１固定部材嵌合部３５または第２意匠部材３２の第２固定部材嵌合部３９が嵌合する一対の意匠部材嵌合部５２，５２と、ドア本体２を押圧する一対の押圧部５３，５３と、を有している。意匠部材側連結部５１、一対の意匠部材嵌合部５２，５２および一対の押圧部５３，５３は、一体に形成されている。
【００４１】
意匠部材側連結部５１は、ドア本体固定部４と厚さ方向に重なる位置に配置される。一対の意匠部材嵌合部５２，５２および一対の押圧部５３，５３は、意匠部材側連結部５１の奥行き方向の両側に設けられている。
【００４２】
意匠部材側連結部５１は、本体部５１１と、本体部５１１と連結しドア本体固定部４との厚さ方向の位置決めを行う第１位置決め部５１２と、本体部５１１と連結しドア本体固定部４との奥行き方向の位置決めを行う第２位置決め部５１３と、本体部５１１と連結しドア本体固定部４と係合する係合部５１４と、を有している。
本体部５１１、第１位置決め部５１２、第２位置決め部５１３および係合部５１４は、一体に形成されている。
【００４３】
本体部５１１は、底板部５１１ａと、底板部５１１ａから厚さ方向の他方側に突出する第１柱状部５１１ｂと、第１柱状部５１１ｂの幅方向の両側にそれぞれ連続して設けられ底板部５１１ａから厚さ方向の他方側に突出する一対の第２柱状部５１１ｃ，５１１ｃ（図７参照）と、を有している。
底板部５１１ａは、板面の外形が幅方向の寸法よりも奥行き方向の寸法が長い略長方形状に形成されている。
【００４４】
第１柱状部５１１ｂは、略直方体状に形成されている。第１柱状部５１１ｂは、幅方向の寸法が底板部の幅寸法よりも小さく形成され、底板部５１１ａの幅方向の中央に配置されている。第１柱状部５１１ｂは、奥行き方向の寸法が底板部５１１ａの奥行き方向の寸法と略同じ寸法に形成されている。
第２柱状部５１１ｃ，５１１ｃは、奥行き方向の寸法が第１柱状部５１１ｂの奥行き方向の寸法がよりも小さく、厚さ方向の寸法が第１柱状部５１１ｂの厚さ方向の寸法と同じ略直方体状に形成されている。第２柱状部５１１ｃ，５１１ｃは、第１柱状部５１１ｂの奥行き方向の略中央部と連続している。
図７に示すように、第１柱状部５１１ｂと第２柱状部５１１ｃ，５１１ｃとを合わせた形状は、厚さ方向から見ると、略十字形となっている。
【００４５】
図８および図９に示すように、第１位置決め部５１２は、第２柱状部５１１ｃの厚さ方向の他方側の端部から幅方向外側に突出する第１突出部５１２ａと、第１突出部５１２ａの先端部からさらに厚さ方向の一方側に突出する第２突出部５１２ｂと、を有している。第２突出部５１２ｂは、第２柱状部５１１ｃと幅方向に離間し、第２柱状部５１１ｃとの間に隙間５１２ｃが形成されている。第１突出部５１２ａの厚さ方向の他方側の面は、幅方向の内側から外側に向かうに従って漸次厚さ方向の一方側に傾斜している。
【００４６】
第２位置決め部５１３は、板面が奥行き方向を向く平板状に形成され、本体部５１１を奥行き方向の両側から挟むように、本体部５１１の奥行き方向の両端部それぞれに設けられている。第２位置決め部５１３は、本体部５１１の底板部５１１ａおよび第１柱状部５１１ｂと接続され、第２柱状部５１１ｃとは奥行き方向に離間している。第２位置決め部５１３は、幅方向の両端部がそれぞれ第１柱状部５１１ｂの幅方向の外側に配置されている。
【００４７】
係合部５１４は、第１位置決め部５１２と第２位置決め部５１３との間にそれぞれ設けられていて、本実施形態では、１つの意匠部材側連結部５１に対して４つの係合部５１４，５１４…が設けられている。
係合部５１４は、本体部５１１の底板部５１１ａの幅方向の外側の縁部近傍から厚さ方向の他方側に突出する突出部５１４ａと、突出部５１４ａの先端部から幅方向外側に突出する爪部５１４ｂと、を有している。係合部５１４の厚さ方向他方側の先端部は、第１位置決め部５１２の第１突出部５１２ａよりも厚さ方向の一方側に配置されている。係合部５１４は、第１柱状部５１１ｂと幅方向に離間し、第１柱状部５１１ｂとの間には空部が形成されている。
突出部５１４ａの幅方向の外側の面は、第２柱状部５１１ｃの幅方向の外側の面と略同一平面状に配置されている。爪部５１４ｂの幅方向外側の端部は、突出部５１４ａの幅方向の外側の面よりも幅方向外側に配置されている。
係合部５１４は、幅方向の内側に向かって押圧されると、底板部５１１ａと連続する厚さ方向の一方側の端部を軸にして第１柱状部５１１ｂに近接するように弾性変形可能に構成されている。
【００４８】
上記のようなドア本体固定部４と意匠部材固定部５とは、意匠部材固定部５の意匠部材側連結部５１がドア本体固定部４のドア本体側連結部４３の一対の連結板部４３１，４３１とに挟まれるようにして連結される。
ドア本体側連結部４３と意匠部材側連結部５１とを連結するには、意匠部材側連結部５１に厚さ方向の一方側からドア本体側連結部４３を近接させ、ドア本体側連結部４３の一対の連結板部４３１，４３１の間に意匠部材側連結部５１を挿入する。
【００４９】
このとき、ドア本体側連結部４３の接続板部４３２は、意匠部材側連結部５１の第２柱状部５１１ｃの幅方向の外側の面に沿って厚さ方向の一方側から他方側移動する。ドア本体側連結部４３の係合板部４３３，４３３は、意匠部材側連結部５１の係合部５１４の突出部５１４ａ，５１４ａの幅方向の外側および第２位置決め部の奥行き方向の内側の面に沿って厚さ方向の一方側から他方側に移動する。ドア本体側連結部４３の係合板部４３３，４３３が意匠部材側連結部５１の第２位置決め部５１３の奥行き方向の内側の面に沿って厚さ方向の一方側から他方側に移動することによって、ドア本体側連結部４３が意匠部材側連結部５１に対して奥行き方向の正位置に配置される。
【００５０】
そして、ドア本体側連結部４３と意匠部材側連結部５１とがさらに近接し、ドア本体側連結部４３の接続板部４３２が第１柱状部５１１ｂと第１位置決め部５１２の第２突出部５１２ｂとの隙間に入り、第１突出部５１２ａと当接すると、ドア本体側連結部４３が意匠部材側連結部５１に対して厚さ方向の正位置に配置される。このとき、ドア本体側連結部４３の係合板部４３３，４３３は、意匠部材側連結部５１の係合部５１４の爪部５１４ｂ，５１４ｂを幅方向内側に押圧して幅方向の内側に弾性変形させることで、爪部５１４ｂ，５１４ｂを超えて爪部５１４ｂ，５１４ｂの厚さ方向の他方側に配置される。ドア本体側連結部４３の係合板部４３３，４３３が係合部５１４を係合部５１の爪部５１４ｂ，５１４ｂの厚さ方向の他方側に移動すると、爪部５１４ｂ，５１４ｂの弾性変形が復元し係合板部４３３，４３３の厚さ方向の一方側に爪部５１４ｂ，５１４ｂが配置される。これにより、係合板部４３３，４３３が意匠部材側連結部５１に対して厚さ方向の一方側に移動しないように拘束され、ドア本体固定部４と意匠部材固定部５とが固定される。
【００５１】
一対の意匠部材嵌合部５２，５２は、互いに奥行き方向に対称に形成されている。このため、意匠部材側連結部５１の奥行き方向一方側（図６および図７の右側）に配置された意匠部材嵌合部５２について説明し、意匠部材側連結部５１の奥行き方向他方側に配置された意匠部材嵌合部５２については説明を省略する。
意匠部材嵌合部５２は、意匠部材側連結部５１から奥行き方向の一方側に突出するように意匠部材側連結部５１に連結された連結板部５２１と、連結板部５２１の幅方向の両端部からそれぞれ厚さ方向の一方側に向かって漸次幅方向の外側（それぞれ連結板部５２１と離間する側）に伸びる一対の第１板部５２２，５２２と、一対の第１板部５２２，５２２それぞれの厚さ方向の一方側の端部から厚さ方向の一方側に延びる一対の第２板部５２３，５２３と、一対の第１板部５２２，５２２と一対の第２板部５２３，５２３との接続部分それぞれに形成され幅方向の外側に突出する一対の爪部５２４，５２４と、が形成されている。
本実施形態では、第１板部５２２，５２２の幅方向外側の面に、厚さ方向の他方側から一方側に向かって漸次幅方向の外側に向かう傾斜面が形成され、第２板部５２３，５２３の幅方向外側の面に、厚さ方向の他方側から一方側に向かって漸次幅方向の内側に向かう傾斜面が形成されている。また、一対の爪部５２４，５２４は、厚さ方向の位置が同じ位置となるように設けられている。
【００５２】
意匠部材嵌合部５２の連結板部５２１は、厚さ方向の一方側の面が意匠部材固定部５の意匠部材側連結部５１の厚さ方向の一方側の面と面一となるように形成されている。
一対の意匠部材嵌合部５２，５２は、それぞれ連結板部５２１のみが意匠部材側連結部５１と連結され、一対の第１板部５２２，５２２、一対の第２板部５２３，５２３および一対の爪部５２４，５２４が意匠部材側連結部５１と離間している。
一対の第１板部５２２，５２２、一対の第２板部５２３，５２３および一対の爪部５２４，５２４は、意匠部材側連結部５１に近接・離間する方向に弾性変形可能に構成されている。
【００５３】
一対の爪部５２４，５２４それぞれの幅方向外側の端部どうしの間隔は、第１意匠部材３１の第１固定部材嵌合部３５および第２意匠部材３２の第２固定部材嵌合部３９における第１突出板部３５１と第２突出板部３５２との間の寸法よりもやや小さく、第１爪部３５３と第２爪部３５４との間の寸法よりもやや大きい寸法となるように設定されている。
また、一対の第２板部５２３，５２３それぞれの幅方向外側の面どうしの間隔は、第１固定部材嵌合部３５および第２固定部材嵌合部３９における第１爪部３５３と第２爪部３５４との間の寸法と略同じ寸法となるように設定されている。
【００５４】
図６に示すように、一対の押圧部５３，５３は、一対の意匠部材嵌合部５２，５２の厚さ方向の一方側にそれぞれ設けられている。
一対の押圧部５３，５３は、意匠部材側連結部５１の第２位置決め部５１３，５１３の厚さ方向の他方側の縁部近傍から奥行き方向の外側に向かって漸次厚さ方向の一方側に突出する板状に形成されている。一対の押圧部５３，５３は、それぞれ第２位置決め部５１３との接続部５３ａを軸として回動するように弾性変形可能に構成されている。
【００５５】
次に、ドア本体２への意匠部材３の取付方法について説明する。
まず、ドア本体２の複数の孔部２７，２７…それぞれに固定部材１，１…のドア本体固定部４を固定する。
孔部２７に挿入されたドア本体固定部４は、挿入部４１の先鋭部４１４がドア本体２の内部の断熱材２４に突き刺ささることで断熱材２４に孔を開け、挿入部４１がドア本体に挿入される。
【００５６】
挿入部４１の２つの爪部４１１ａ，４１１ｂは、挿入部４１が室外板部２１に形成された孔部２７に挿し込まれると孔部２７の縁に押されて弾性変形し、奥行き方向の内側に押し込まれた状態となる。そして、ドア本体固定部４がドア本体２に対して正位置に配置されると、室外板部２１の厚さが厚い場合は、２つの爪部４１１ａ，４１１ｂのそれぞれが弾性変形して孔部２７の縁に当接した状態に配置され、室外板部２１の厚さが薄い場合は、２つの爪部４１１ａ，４１１ｂのうちの厚さ方向に長い方の爪部４１１ａが弾性変形して孔部２７の縁に当接した状態に配置される。また、ドア本体固定部４がドア本体２に取りつけられると、ドア本体固定部４の閉塞部４２が孔部２７を室外側から覆った状態となる。閉塞部４２は、正位置に配置されると、室外板部２１とは当接または、閉塞部４２とわずかな隙間をあけて近接している状態となる。
【００５７】
ここで、２つの爪部４１１ａ，４１１ｂは、いずれも弾性変形して孔部２７の縁に当接した状態に配置されると、孔部２７の縁を押圧し室外板部２１に係合した状態となるように構成されている。
なお、室外板部２１の厚さが薄い場合は、２つの爪部４１１ａ，４１１ｂのうちの厚さ方向に長い方の爪部４１１ａが弾性変形して孔部２７の縁に当接した状態に配置される。また、厚さ方向に短い方の爪部４１１ｂが孔部２７の縁から外れて室外板部２１の断熱材２４側に配置され、弾性変形が復元されて先端部（厚さ方向他方側の端部）が厚さ方向から見て孔部２７の縁よりも外側に配置される。これにより、短い方の爪部４１１ｂは、ドア本体固定部４が厚さ方向他方側に移動して浮き上がろうとした際に、室外板部２１と当たるため、ドア本体固定部４の浮き上がりを防止することができる。
【００５８】
また、固定部材１がドア本体２に固定されると、押圧部５３がドア本体２の室外板部２１と意匠部材固定部５の意匠部材嵌合部５２に挟まれて厚さ方向他方側に向かうように弾性変形する。これにより、押圧部５３は、弾性変形の復元力により室外板部２１を室外側から押圧する。
【００５９】
続いて、ドア本体２に固定された固定部材１に意匠部材３を固定する。
固定部材１に第１意匠部材３１を固定する場合は、まず、第１意匠部材３１をドア本体２と対向させ、第１意匠部材３１の２つの第１固定部材嵌合部３５，３５をそれぞれ固定部材１，１…と対向させる。第１意匠部材３１をドア本体２に向かって移動させて２つの第１固定部材嵌合部３５，３５とドア本体２に固定された固定部材１，１…の意匠部材嵌合部５２，５２とを嵌合させる。
【００６０】
このとき、第１固定部材嵌合部３５の第１爪部３５３および第２爪部３５４は、意匠部材嵌合部５２の第１板部５２２，５２２に沿ってドア本体２に向かって移動し、第１板部５２２，５２２を互いに見付け方向に接する方向に押圧する。これにより、第１板部５２２，５２２が弾性変形するため、第１固定部材嵌合部３５の第１爪部３５３および第２爪部３５４は、意匠部材嵌合部５２の一対の爪部５２４，５２４を超えて一対の第２板部５２３，５２３の見付け方向の外側に配置され、意匠部材嵌合部５２と係合する。
意匠部材嵌合部５２の一対の爪部５２４，５２４が抜け止めとなり第１意匠部材３１が固定部材１から外れることが防止され、第１意匠部材３１が固定部材１，１…に嵌合して固定される。その結果、第１意匠部材３１が固定部材１，１…を介してドア本体２に固定される。
【００６１】
固定部材１に第２意匠部材３２を固定する場合は、第２意匠部材３２をドア本体２と対向させ、第２意匠部材３２の第２固定部材嵌合部３９を固定部材１，１…と対向させるとともに、第２意匠部材３２のガラス保持部３８をドア本体２の開口部２５およびガラス２６と対向させる。第２意匠部材３２をドア本体２に向かって移動させて第２固定部材嵌合部３９とドア本体２に固定された固定部材１，１…の意匠部材嵌合部５２とを嵌合させる。  第２固定部材嵌合部３９の意匠部材嵌合部５２への固定は、第１固定部材嵌合部３５の意匠部材嵌合部５２への固定と同様に行う。
また、第２意匠部材３２をドア本体２に向かって移動させてガラス保持部３８のガラス当接部３８１をガラス２６の室外側の面と当接させ、室内側ガラス保持部材連結部３８２を室内側ガラス保持部材２６１と連結させ、ドア本体当接部３８３とドア本体２の室外板部２１と当接させる。
このようにして、第２意匠部材３２が固定部材１，１…を介してドア本体２に固定される。
【００６２】
次に、上述した固定部材の作用・効果について図面を用いて説明する。
上述した本実施形態による固定部材１では、固定部材１のドア本体固定部４と意匠部材固定部５とが連結されているとともに、ドア本体固定部４がドア本体に形成された孔部２７に係合可能である。これにより、ドア本体固定部４を孔部２７に挿入して係合させれば意匠部材固定部５もドア本体固定部４を介してドア本体に固定されるため、ドア本体２に対して固定部材１を容易に固定することができる。
また、意匠部材固定部５が樹脂製であることにより、意匠部材固定部５が金属製である場合と比べて意匠部材３の形状に追従しやすく意匠部材３と係合しやすいため、意匠部材を固定部材１に容易に取り付けることができる。
また、ドア本体固定部４が金属製であることにより、火災時に意匠部材固定部５が溶融したとしてもドア本体固定部４はドア本体２の孔部２７に留まり、さらにドア本体固定部４の閉塞部４２がドア本体２の孔部２７を閉塞しているため、火災時に発生した可燃性のガスが孔部２７を介してドア本体の一方側から他方側に漏れることを防止できる。
【００６３】
ドア本体固定部４のドア本体側連結部４３と、意匠部材固定部５の意匠部材側連結部５１とが互いに係合して連結されることにより、ドア本体固定部４と意匠部材固定部５とを、確実に連結することができる。
【００６４】
また、意匠部材固定部５には、第１位置決め部５１２および第２位置決め部５１３が設けられていることにより、ドア本体固定部４と意匠部材固定部５とを正位置において連結することができる。これにより、ドア本体固定部４と意匠部材固定部５との連結にバラツキがなく、固定部材１の品質を安定させることができる。
【００６５】
また、ドア本体固定部４の挿入部４１には厚さ方向の長さが異なる爪部４１１ａ，４１１ｂが形成されていることにより、ドア本体２の室外板部２１の厚さにかかわらずドア本体固定部４をドア本体２に対して正位置に取り付けることができる。これにより、ドア本体固定部４に連結された意匠部材固定部５も正位置に配置することができる。その結果、複数の固定部材１，１…それぞれが正位置に固定され、複数の固定部材１，１…に対して意匠部材３を凹凸なく良好に取り付けることができる。
【００６６】
また、室内板部２１の厚さにかかわらず固定部材１および意匠部材３を均一に取り付けることができるため、施工を容易に行うことができる。
さらに、ドア本体２の室外板部２１の厚さにかかわらずドア本体固定部４の閉塞部４２がドア本体２の孔部２７を正位置で閉塞できるため、閉塞部４２と室外板部２１との隙間が無いまたはわずかな状態となり、火災時に発生した可燃性のガスが孔部２７を介してドア本体の一方側から他方側に漏れることを防止できる。
【００６７】
また、ドア本体固定部４の挿入部４１には、先鋭部４１４が設けられていることにより、挿入部４１をドア本体２の断熱材２４に容易に挿入することができる。
また、意匠部材固定部５には、ドア本体２の室外板部２１を押圧する押圧部５３が設けられていることにより、固定部材１がドア本体２固定された際の意匠部材固定部５と室外板部２１との寸法が異なる場合でも押圧部５３が室外板部２１と当接するため、ドア本体２に対して固定部材１をぐらついたりせずに安定した状態に設置することができる。その結果、意匠部材３をドア本体２に安定した状態に設置することができる。
【００６８】
以上、本発明による固定部材の実施形態について説明したが、本発明は上記の実施形態に限定されるものではなく、その趣旨を逸脱しない範囲で適宜変更可能である。
例えば、上記の実施形態では、ドア本体固定部４のドア本体側連結部４３と意匠部材固定部５の意匠部材側連結部５１とが互いに係合して連結されているが、ドア本体固定部４と意匠部材固定部５とを連結しているが、ドア本体固定部４と意匠部材固定部５との連結は上記以外の形態であってもよい。
【００６９】
また、上記の実施形態では、意匠部材固定部５には、第１位置決め部５１２および第２位置決め部５１３が設けられているが設けられていなくてもよい。また、第１位置決め部５１２および第２位置決め部５１３のいずれか一方が設けられていてもよい。また、ドア本体固定部４と意匠部材固定部５とを正位置において連結するための位置決め部は上記以外であってもよい。
【００７０】
また、上記の実施形態では、ドア本体固定部４の挿入部４１には、厚さ方向の長さが異なる爪部４１１ａ，４１１ｂが形成され、爪部４１１ａ，４１１ｂがドア本体２の孔部２７と係合するように構成されているが、ドア本体固定部４がドア本体２と係合する形態は上記以外であってもよい。また、爪部の数や長さは適宜設定されてよく、同じ長さの複数の爪部が設けられていてもよい。
また、本実施形態では、意匠部材嵌合部５２の一対の爪部５２４，５２４は、厚さ方向の位置が同じ位置となるように設けられているが、異なる位置となるように設けられていてもよい。図１０に示すように、意匠部材嵌合部（意匠部材係止片）５２の一対の爪部（角部）５２４，５２４が厚さ方向に異なる位置に設けられている場合、意匠部材３の第１突出板部（側部材）３５１、第１突出板部（側部材）３５２、第１爪部（爪部）３５３，および第２爪部（爪部）３５４の位置や形状が異なる場合でも、第１爪部３５３，および第２爪部３５４が、意匠部材３の爪部５２４および第２板部５２３のいずれかに当接して意匠部材固定部５を挟持することができる。
【００７１】
また、上記の実施形態では、ドア本体固定部４の挿入部４１には、先鋭部４１４が設けられているが、挿入部４１をドア本体２の断熱材２４に挿入可能であれば、先鋭部４１４が設けられていなくてもよい。
また、上記の実施形態では、意匠部材固定部５には、ドア本体２の室外板部２１を押圧する押圧部５３が設けられているが設けられていなくてもよい。
また、図１１に示すように、ドア本体固定部４に、一対の連結板部４３１，４３１それぞれから幅方向の外側に延びる板状に形成され、ドア本体２の室外板部２１を弾性変形の復元力によって室外側から押圧する押圧部４４が一体に設けられていてもよい。ドア本体固定部４に押圧部４４が設けられていることにより、意匠部材固定部５に幅方向の力が作用しても、意匠部材固定部５が倒れたり移動したりする変位を抑えることができる。
【００７２】
また、上記の実施形態では、ドア本体側連結部４３と意匠部材側連結部５１とを連結させる際に、ドア本体側連結部４３の係合板部４３３，４３３が意匠部材側連結部５１の爪部５１４ｂ，５１４ｂを押圧して弾性変形させて爪部５１４ｂ，５１４ｂと係合しているが、係合板部４３３，４３３が弾性変形して爪部５１４ｂ，５１４ｂと係合するように構成されていてもよい。
【符号の説明】
【００７３】
１  固定部材
２  ドア本体
３  意匠部材
４  ドア本体固定部
５  意匠部材固定部
６  隙間覆い部
１１  ドア
２１  室外板部
２４  断熱材（芯材）
２７  孔部
４２  閉塞部
４３  ドア本体側連結部
５１  意匠部材側連結部
４１１ａ，４１１ｂ  爪部
４１４  先鋭部
５１２  第１位置決め部
５１３  第２位置決め部
【図１】
2018053514.tif 000003
【図２】
2018053514.tif 000004
【図３】
2018053514.tif 000005
【図４】
2018053514.tif 000006
【図５】
2018053514.tif 000007
【図６】
2018053514.tif 000008
【図７】
2018053514.tif 000009
【図８】
2018053514.tif 000010
【図９】
2018053514.tif 000011
【図１０】
2018053514.tif 000012
【図１１】
2018053514.tif 000013